(57)【特許請求の範囲】
【請求項１】
樹脂製のスタータケースに、リールが回転自在に取付けられ、前記リールにゼンマイの復元力によって巻き取られているロープを引き出すことによって、前記リールが回転して内燃機関を始動するリコイルスタータであって、前記スタータケースに前記ロープの前記リールからの巻装外れを防止する外れ防止材が設けられたリコイルスタータにおいて、前記スタータケースの内周面の端部に、前記リールの周面から前記ロープを水平面に対して上方に傾斜して導出するごとく設けられたロープ引出口と前記リール間に、予めスタータケース自体に形成された略Ｕ字形状の凹状部材に、前記ロープを案内する、断面が半円形で凹状となす金属材が開口側を外側にして全体がほぼＵ字形状に折り曲げられた金属製のロープガイドが嵌合方式にて取付けられていることを特徴とするリコイルスタータ。
【発明の詳細な説明】
【０００１】
【発明の属する技術分野】
本発明は、エンジンの始動に使用されるリコイルスタータに関するものである。
【０００２】
【従来の技術】
従来のリコイルスタータは、図４および図５に示すように、樹脂製のスタータケース１の軸芯位置には軸２が固着され、軸２にはリール３が回転自在に取り付けられており、リール３の外周部に設けた凹溝３ａにロープ４がゼンマイ５の復元力によって巻装されている。
リール３にはラチェット６が半径方向に出没自在に回動するよう取り付けられ、このラチェット６の中間位置にはピンが固定され、ラチェット６はリール３の周縁近傍に形成された傾斜面と突出面間に移動自在に位置して、リール３に取り付けられている。また、軸２にフリクションプレート９が取り付けられ、フリクションプレート９にはラチェット６のピンを案内することにより、ラチェット６を半径方向に出入りさせるガイド部が形成されている。
一方、エンジン側には、エンジンと連結するプーリが設けられ、その外周先端には凹部が形成されている。
【０００３】
また、従来のリコイルスタータでは、図６および図７に示すように、スタータケース１の周面に開口１０が形成され、この開口１０に、例えば硬質樹脂材のロープガイド１１が挿入され、開口１０にカシメ付け固定され、リール３に巻装されたロープ４の端部が、ロープガイド１１に挿通され、ロープガイド１１を介して外部に導出されている。
【０００４】
このような構成の従来のリコイルスタータでは、停止状態からゼンマイ５の復元力に抗して、ロープ４を引き出すと、フリクションプレート９は、軸２とのフリクションによって停止状態に維持され、一方リール３とラチェット６とが回転する。このために、ラチェット６のピンが、停止状態にあるフリクションプレート９のガイド部に案内されて突出し、ラチェット６が、プーリの凹部に係合して回転し、エンジンが始動する。
そして、エンジンが始動した状態で、ロープ４を離すと、ゼンマイ５の復元力によってリール３が逆方向に回転し、ロープ４が巻き戻されるととともに、ラチェット６は後退して原位置に復帰する。
この動作時において、ロープ４はロープガイド１１の内周面を摺動するために、ロープ４の接触摺動によってスタータケース１が磨耗破損することがなく、エンジン始動のためのロープ４の引き出し動作は円滑に行われる。
【０００５】
【発明が解決しようとする課題】
前述の従来のリコイルスタータでは、エンジン始動のためのロープ４の引き出し動作は、スタータケース１を磨耗破損させることなく円滑に行われるが、スタータケース１に開口１０を形成し、この開口１０に別途作製したロープガイド１１を挿入し、カシメ止める煩雑な製造工程が必要となり、リコイルスタータの製造コスト上昇の要因となっていた。
【０００６】
本発明は、前述したようなリコイルスタータの製造工程の現状に鑑みてなされたものであり、その目的は、リコイルスタータのスタータケースに、ロープガイドを簡単な作業で取付けることができ、製造コストを低減することができたリコイルスタータを提供することにある。
【０００７】
【課題を解決するための手段】
前記目的を達成するために、本発明は、樹脂製のスタータケースに、リールが回転自在に取付けられ、前記リールにゼンマイの復元力によって巻き取られているロープを引き出すことによって、前記リールが回転して内燃機関を始動するリコイルスタータであって、前記スタータケースに前記ロープの前記リールからの巻装外れを防止する外れ防止材が設けられたリコイルスタータにおいて、前記スタータケースの内周面の端部に、前記リールの周面から前記ロープを水平面に対して上方に傾斜して導出するごとく設けられたロープ引出口と前記リール間に、予めスタータケース自体に形成された略Ｕ字形状の凹状部材に、前記ロープを案内する、断面が半円形で凹状となす金属材が開口側を外側にして全体がほぼＵ字形状に折り曲げられた金属製のロープガイドが嵌合方式にて取付けられたリコイルスタータを要旨とするものである。
【０００８】
【発明の実施の形態】
以下に、本発明を図１ないし図３を参照して説明する。
図１は本発明の構成を示す平面図、図２は図１のＡ−Ａ部分の断面説明図、図３は図１のロープガイドの構成を示す説明図であり、すでに説明した図４ないし図７と同一部分には、同一の図面参照番号が付されている。
【０００９】
本発明では、図２に示すように、スタータケース１の内周面の端部に、リール３の周面の凹溝３ａからロープ４を水平面から上方に傾斜して導出するロープ引出口１３が形成され、ロープ引出口１３とリール３の凹溝３ａ間において、スタータケース１に、ロープ４を案内する金属製のロープガイド１５が取付けられている。
この金属製のロープガイド１５は、図３（ａ）および（ｂ）に示すように、断面が半円形で凹状の金属材が開口側を外側にして全体がほぼＵ字状に折り曲げられた形状をしていて、ロープ引出口１３とリール３の凹溝３ａ間において、予めスタータケース１の内面に該ケースと一体に形成された略Ｕ字形状の凹状部材１ａに嵌合方式にて取付けられている。
また、本発明では、このロープガイド１５とリールの凹溝３ａ間に、ロープ４のリール３からの巻装外れを防止する外れ防止部材１７が、図１に示すようにロープ４の凹溝３ａからの導出部分をブリッジするように取り付けられている。
なお本発明のその他の部分の構成は、すでに説明した従来のリコイルスタータと同一なので説明を省略する。
【００１０】
本発明では、従来のリコイルスタータと同様に、停止状態からゼンマイ５の復元力に抗して、ロープ４を引き出すと、フリクションプレート９は、軸２とのフリクションによって停止状態に維持され、一方リール３とラチェット６とが回転する。このために、ラチェット６が、停止状態にあるフリクションプレート９のガイド部に案内されて突出し、プーリの凹部と係合して回転しエンジンが始動する。
そして、エンジンが始動した状態で、ロープ４を離すと、ゼンマイ５の復元力によってリール３が逆方向に回転し、ロープ４が巻き戻されるとともに、ラチェット６は後退して原位置に復帰する。
【００１１】
このように、本発明によると、エンジン始動のための引き出し動作に際して、ロープ４は、ロープガイド１５に案内され、さらに外れ防止部材１７によりブリッジされた状態で、スタータケース１に形成されたロープ引出口１３から、水平面に対して斜め上方にスムーズに引き出され、エンジンの始動が操作性よく行われるとともに、ロープ４は金属製のロープガイド１５の内面のみを摺動し、エンジンの始動動作を繰り返しても、スタータケース１が磨耗破損することがなく、またロープ４のリール３に対する巻装が外れることも防止され、安定して円滑なエンジンの始動を続けることが可能になる。さらに、ロープガイド１５をスタータケース１に簡単な嵌装作業によって組み付け、低製造コストでリコイルスタータを製造することが可能になる。
【００１３】
【発明の効果】
以上述べた通り本発明によると、樹脂製のスタータケースに、リールが回転自在に取付けられ、スタータケースの周面に、リールの周面からロープを水平面に対して上方に傾斜して導出するロープ引出口を設け、リールにゼンマイの復元力によって巻き取られているロープを引き出すことによって、リールが回転して内燃機関を始動するリコイルスタータにおいて、ロープ引出口とリール間のスタータケースの内面に、断面が半円形で凹状の金属材が開口側を外側にしてほぼＵ字状に曲げられた形状の金属製のロープガイドを嵌合方式にて取付けるので、流れ工程内でロープガイドを簡単な取付け作業によって低製造コストで取付けることができ、かつ前記ロープガイドの作用によりロープ引き出しも円滑に行われ、繰り返し動作によるスタータケースの摩耗破損のないリコイルスタータを提供することができる。
【図面の簡単な説明】
【図１】  本発明の一実施例の構成を示す平面図である。
【図２】  図１のＡ−Ａ部分の断面説明図である。
【図３】  図１のロープガイドの構成を示す説明図で、（ａ）はロープガイドを示す斜視図、（ｂ）はロープガイドの取付け状態を示す正面図である。ある。
【図４】  従来のリコイルスタータの構成を示す平面図である。
【図５】  図４の縦断面図である。
【図６】  図４のロープ取出し部分の構成を示す斜視説明図である。
【図７】  ロープ取出し部分の構成を示す図４のＢ−Ｂ線上の断面説明図である。
【符号の説明】
１  スタータケース
２  軸
３  リール
３ａ  凹溝
４  ロープ
５  ゼンマイ
６  ラチェット
９  フリクションプレート
１３  ロープ引出口
１５  ロープガイド
【図１】
0004059354.tif 000002
【図２】
0004059354.tif 000003
【図３】
0004059354.tif 000004
【図４】
0004059354.tif 000005
【図５】
0004059354.tif 000006
【図６】
0004059354.tif 000007
【図７】
0004059354.tif 000008